(57)【要約】      （修正有）【課題】高いブルーライトカット率を実現すると共に、当該カット率の調節を可能にするバックライト装置を提供する。【解決手段】液晶パネル４の背面に装備され当該液晶パネル４を背面から照明するバックライト装置１０において、装置内に固定された複数の赤色ＬＥＤ，緑色ＬＥＤ及び青色ＬＥＤを備える。また、当該赤色ＬＥＤ，緑色ＬＥＤ及び青色ＬＥＤに電気的に接続し当該各ＬＥＤを駆動して照明光を照射させる駆動部２を有する。さらに、この駆動部２に電気的に接続し青色ＬＥＤの出力を調節する制御信号ＢＣを当該駆動部２に入力する制御部３を備える。そして、駆動部２は、制御信号ＢＣに応じて青色ＬＥＤの出力を調節する。【選択図】図１
0003208805.tif 000002
【実用新案登録請求の範囲】
【請求項１】
液晶パネルの背面に装備され当該液晶パネルを背面から照明するバックライト装置であって、
装置内に固定された複数の赤色ＬＥＤ，緑色ＬＥＤ及び青色ＬＥＤと、当該赤色ＬＥＤ，緑色ＬＥＤ及び青色ＬＥＤに電気的に接続し当該各ＬＥＤを駆動して照明光を照射させる駆動部と、この駆動部に電気的に接続し前記青色ＬＥＤの出力を調節する制御信号を当該駆動部に入力する制御部とを備え、
前記駆動部は、前記制御信号に応じて前記青色ＬＥＤの出力を調節する、バックライト装置。
【請求項２】
前記駆動部は、前記制御信号に応じて前記青色ＬＥＤの出力を０％から１００％まで調節可能とした、請求項１に記載のバックライト装置。
【請求項３】
前記制御部は、スイッチの操作に応じた前記制御信号を前記駆動部に入力する、請求項１又は２に記載のバックライト装置。
【請求項４】
液晶パネルの背面に請求項１乃至３のいずれか１項に記載のバックライト装置を装備した液晶ディスプレイ装置。
【考案の詳細な説明】
【技術分野】
【０００１】
本考案は、バックライト装置に係り、特に、液晶ディスプレイを背面から照明するバックライト装置に関する。
【背景技術】
【０００２】
昨今、コンピュータのディスプレイを一日中見続ける仕事が増えている。その仕事は、プログラマーやデザイナーだけでなく電子データを扱う経理担当者などにも広がっている。これらの仕事に用いられるディスプレイのほとんどは液晶ディスプレイ（ＬＣＤ）であり、その画面も大型になり、利用者が浴びるブルーライトが時間・量ともに増えている。
【０００３】
ブルーライトによる人体への影響の問題が顕著化しつつある今、この問題の解決方法として行われているのは、第１に、利用者がブルーライトカット眼鏡等を掛けることである。この方法は非常に手軽であり、ブルーライトを６０％ほどカットできる。しかし、眼鏡に慣れていない人が一日中掛けているのは辛いことである。
【０００４】
第２に、ブルーライトカットフィルタをディスプレイに貼る方法である。液晶ディスプレイにフィルタが貼られていれば、利用者は常にブルーライトを気にすることなくディスプレイを利用することができ、ブルーライトを最大で１００％カットすることも可能である。しかし、フィルタが常にブルーライトをカットするため、それによって変更された色味を元に戻すことができない、という不都合がある。
【０００５】
第３に、ＬＣＤを制御することにより電子的にディスプレイの青色の出力を弱める方法がある。この場合も青色のＬＣＤの出力を変更するため、色味が変わってしまうが、スイッチの操作によりカット率を０％〜５０％ぐらいの間で調整することが可能である。
【０００６】
ここで、ブルーライトの発生源は、バックライトである。現在バックライトには、近ＵＶ−ＬＥＤに黄色の蛍光剤を組合わせて得られる擬似白色が用いられている。このため、ブルーライト成分は、ＬＣＤの青色だけでなく、赤色及び緑色にも含まれている。よって、上述した第３の方法により、ＬＣＤを制御して青色の出力を抑えたとしても、ＬＣＤの赤色及び緑色に含まれているブルーライト成分はカットできないため、上記のようにブルーライトのカット率は精々５０％ぐらいが上限となる。
【０００７】
なお、バックライトには、赤色ＬＥＤ、緑色ＬＥＤ及び青色ＬＥＤをそれぞれ適所に配置して発光させることにより白色光を得るタイプもある（例えば、特許文献１）。また、小さいパッケージに赤色ＬＥＤ、緑色ＬＥＤ及び青色ＬＥＤを個別に内蔵したワンパッケージの白色ＬＥＤが製品化されている。
【先行技術文献】
【特許文献】
【０００８】
【特許文献１】特開２００８−２１６４９号公報
【考案の概要】
【考案が解決しようとする課題】
【０００９】
本考案は、従来に比べ高いブルーライトカット率を実現すると共に、当該カット率を調節可能とすることを課題とする。
【課題を解決するための手段】
【００１０】
この課題を解決するため、本考案は、以下の構成を採る。即ち、液晶パネルの背面に装備され当該液晶パネルを背面から照明するバックライト装置において、装置内に固定された複数の赤色ＬＥＤ，緑色ＬＥＤ及び青色ＬＥＤを備える。また、当該赤色ＬＥＤ，緑色ＬＥＤ及び青色ＬＥＤに電気的に接続し当該各ＬＥＤを駆動して照明光を照射させる駆動部を有する。さらに、この駆動部に電気的に接続し青色ＬＥＤの出力を調節する制御信号を当該駆動部に入力する制御部を備える。そして、駆動部は、制御信号に応じて青色ＬＥＤの出力を調節する、という構成を採っている。
ここで、赤色ＬＥＤ，緑色ＬＥＤ及び青色ＬＥＤは、ワンパッケージの白色ＬＥＤ製品に内蔵されていてもよい。また、この白色ＬＥＤ製品を上記装置内に複数固定することによって、上記「装置内に固定された複数の赤色ＬＥＤ，緑色ＬＥＤ及び青色ＬＥＤ」を構成してもよい。
【００１１】
これによると、バックライトを照射する赤色ＬＥＤ，緑色ＬＥＤ及び青色ＬＥＤのうち、青色ＬＥＤの出力を独立して調節することができるので、バックライトのブルーライト成分を抑えることができる。よって、ＬＣＤの赤色、緑色及び青色のすべての出力からブルーライトを低減することができる。従来技術の第３の方法では、ＬＣＤで青色の出力を抑えても、ＬＣＤの赤色及び緑色の出力に含まれるブルーライト成分をカットできなかったが、本考案によれば、ＬＣＤの赤色、緑色及び青色のすべての出力でブルーライト成分を抑えることができる。
【考案の効果】
【００１２】
よって、本考案によれば、従来に比べ高いブルーライトカット率を実現すると共に、当該カット率を調節することが可能となる。
【図面の簡単な説明】
【００１３】
【図１】図１は、本考案を含む液晶ディスプレイ装置の概略構成図である。
【考案を実施するための形態】
【００１４】
以下、本考案の実施形態を図１を参照して説明する。図１において、液晶ディスプレイ装置２０は、液晶パネル４を備えている。液晶パネル４の背面には、バックライト装置１０が装備されている。バックライト装置１０は、液晶パネル４を背面から照明する。
【００１５】
バックライト装置１０は、バックライトユニット１と、駆動部２と、制御部３とを備えている。バックライトユニット１は、内部の適所に配置された複数の赤色ＬＥＤ，緑色ＬＥＤ及び青色ＬＥＤを備え、赤色ＬＥＤ，緑色ＬＥＤ及び青色ＬＥＤの３原色による照射光（白色光）により液晶パネル４を背面から照明する。駆動部２は、赤色ＬＥＤ，緑色ＬＥＤ及び青色ＬＥＤに電気的に接続し当該各ＬＥＤを駆動して上記の照射光を出力させる。制御部３は、この駆動部２に電気的に接続し青色ＬＥＤの出力（強さ、輝度）を調節するＰＷＭ等の制御信号ＢＣを当該駆動部２に入力する。駆動部２は、制御信号ＢＣに応じて青色ＬＥＤの出力を調節する。
【００１６】
これを更に詳述すると、本実施形態において、駆動部２は、制御信号ＢＣに応じて青色ＬＥＤの出力を０％から１００％まで調節する。制御部３は、ユーザのスイッチ操作に応じた制御信号ＢＣを駆動部２に入力する。
【００１７】
そして、ユーザがスイッチを操作すると、制御部３から出力される制御信号ＢＣが変化し、この制御信号ＢＣの変化に応じて、駆動部２は、青色ＬＥＤの出力を０％〜１００％の間で調節する。よって、液晶ディスプレイ装置２０から照射されるブルーライトのカット率を０％から１００％まで調節することができる。
【００１８】
以上説明した実施形態によれば、バックライトを照射する赤色ＬＥＤ，緑色ＬＥＤ及び青色ＬＥＤのうち、青色ＬＥＤの出力を独立して０％から１００％まで調節することができるので、バックライトのブルーライト成分を完全にカットすることも可能である。よって、ＬＣＤの赤色、緑色及び青色のすべての出力からブルーライトを完全にカットすることも可能であり、本実施形態によれば、従来に比べ高いブルーライトカット率を実現すると共に、当該カット率を調節することが可能となる。
【００１９】
ここで、本考案の範囲は、実用新案登録請求の範囲に記載した範囲であり、上記の実施形態に限られるものではない。
【符号の説明】
【００２０】
１  バックライトユニット
２  駆動部
３  制御部
４  液晶パネル
１０  バックライト装置
２０  液晶ディスプレイ装置
【図１】
0003208805.tif 000003